(57)【要約】      （修正有）【課題】容易に展開できて、床面に傷をつけることがない、長年の使用に耐えるベッドを提供する。【解決手段】左右一対の中央脚部材６の上部に前側床面枠体１Ａの左右後縁と後部床面枠体１Ｂの左右前縁とを枢着すると共に、前側床面枠体１Ａの左右前縁に前方脚部材７の上部を、後部床面枠体１Ｂの左右後縁に後方脚部材７の上部を枢着し、これらの左右各側において中央脚部材６と前方脚部材７との下部相互及び、中央脚部材６と後方脚部材７との下部相互のそれぞれに連結棒を掛け渡し、リンク軸に特殊ナットを使用し、中央脚部材６に引き上げ用の掘り込み加工を施し、下部リンク棒８が床に均等に接する構成とする。【選択図】図１
2009160200.tif 000002
【特許請求の範囲】
【請求項１】
左右一対の中央脚部材の上部に前側床面枠体の左右後縁と後部床面枠体の左右前縁とを枢着すると共に、前側床面枠体の左右前縁に前方脚部材の上部を、後部床面枠体の左右後縁に後方脚部材の上部を枢着し、これらの左右各側において中央脚部材と前方脚部材との下部相互及び、中央脚部材と後方脚部材との下部相互のそれぞれに連結棒を掛け渡し、その各端部を軸着して四辺形リンクを形成した折り畳み式ベッドにおいて、起立状態から展開状態にスムーズに移行出来ること特徴とする折り畳み式ベッド。
【請求項２】
各リンク軸に回転がスムーズになり、かつ耐久力に優れた効果のあるブッシングを内蔵したことを特徴とする請求項１記載の折り畳み式ベッド。
【請求項３】
中央脚部材に引き上げ用の掘り込み加工を施してあることを特徴とする請求項１、２記載の折り畳み式ベッド。
【請求項４】
リンク棒が該折り畳みベッドが水平状態の時に均等に床に接することを特徴とする請求項１、２記載の折り畳みベッド。
【発明の詳細な説明】
【技術分野】
【０００１】  本発明は、収納に便利なように形成した折り畳みベッドに関する。
【技術背景】
【０００２】  不使用時に簡単に折り畳みできるベッドであり、容易に展開可能なベッドを、長年に使用に耐えるを提供するものである。
【特許文献１】実用新案登録３０３７７９３
【特許文献１】実用新案登録３００３３８５
【発明が解決しようとする課題】
【０００３】  従来の木製の折り畳み式ベッドは、起立状態から水平な状態に移行する時に、中央脚部材が垂直な状態を保ったまま下降しない為、展開の途中で固定されることが多く、人力で中央脚部材を垂直な状態に矯正しなければならず不便であった。本考案はこのような矯正作業をすることなく、自然に折り畳み式ベッドが起立状態から水平な状態に移行することが出来る折り畳みベッドを提供することを目的とするものである。
【０００４】  また長年の使用でリンク軸が磨耗して折り畳み式ッドの耐用年数が短くならないようにな折り畳み式ベッドを提供することを目的とするものである。
【０００５】    ベッドを持ち上げる取っ手の部材が他の物体に邪魔をしないコンパクトな構造の折り畳みベッドを提供することを目的とするものである。
【０００６】  ベッドが水平な状態になった時、床に傷をつけないことを特徴とする折り畳み式ベッドを提供することを目的とするものである。
【課題を解決するための手段】
【０００７】  上記目的を達成するために，本考案の木製折り畳みベッドは、左右一対の中央脚部材の上部に前側床面枠体の左右後縁と後部床面枠体の左右前縁とを枢着すると共に、前側床面枠体の左右前縁に前方脚部材の上部を、そして後部床面枠体の左右後縁に後方脚部材の上部を枢着し、これらの左右各側において中央脚部材と前方脚部材との下部相互及び、中央脚部材と後方脚部材との下部相互のそれぞれに連結棒を掛け渡し、その各端部を軸着して四辺形リンクを形成し、起立状態から水平状態にスムースにスムースに行える構成とする。
【０００８】  またリンク軸にワッシャと穴あきのあるスリーブを一体化させた材を使用して軸のおける回転をなめらかにして、軸の穴が磨耗することを少なくするものである。
【０００９】  また中央脚部に掘り込み形状にして目的を達するものである。
【００１０】ベッドが水平な状態にあるときに脚部材に枢着しているリンク棒の下端が床面に均等に接するような位置関係を有して目的を達するものである。
【発明を実施するための最良の形態】（発明の実施の形態１）【００１１】  図１〜１５は本発明の実施例に掛るベッドを示す図であり、以下これらの図を参照して説明する。【００１２】  図１において、１Ａは前側床面枠体、１Ｂは後側床面枠体である。１Ａ、１Ｂは左右対称であるので説明は１Ａについて行う。前側床面枠体１Ａは、木板２ａ、２ｂ、２ｃ、２ｄを結合して床面枠体を形成している。床面枠体の前側左右は前側脚部材７の上部に軸着され、床面枠体の後側左右は中央脚部材の上部に軸着されている。リンク棒８の前側左右の穴は前側脚部材の下端に軸着されており、リンク棒８の後側左右は中央脚部材の下端に軸着されている。【００１３】    木板２ａ、２ｂ、２ｃ、２ｄで形成された枠の内側にはベッドの床を支える材３ａ、３ｂを有しておりこの材の上端と２ｃ、２ｄに掘り込みをしてある溝ですのこ材９を支えている。すのこ材９は木板２ａ、２ｂ、２ｃ、２ｄで形成された枠の内側に数枚配置している。（たとえば片側９枚）連結材１０は左右の中央脚部材を連結している。脚部材７の下端には３６０度回転可能なキャスター１１を固着している。【００１４】  ２ｄ、７，８，６の各軸１２，１３，１４，１５を結ぶ線で構成される四辺形は平行四辺形を形成している。ベッドを折りたたむ場合は中央脚部材の表側に堀こんである隙間１６に手をいれて上方向に持ち上げるとベッドは図３のように折りたたむことが出来る。図３の右側は完全にベッドが折り畳まれた起立状態である。【００１５】  ベッドを起立状態から水平状態に移行させるには中央脚部材に掘り込みしている穴１６に手をいれての下方に引き下げれば可能である。（ｆ１の方向に力を入れる）このときベッドの軸を支えている支点は全部で１６個あり、それぞれはビスとナットで固定されているが、その締め付けの程度は同じではないのでベッドは起立状態から水平状態に移行する時図４のような状態に陥ることがある。  この状態になると中央脚部材６にはｆ２の方向の力が発生する。中央脚部材を右周りに回転させようとするが、各軸支点４点で構成された平行四辺形は２経ｄと８の間に隙間がないためにベッドはこれ以上動かなくなる。（水平状態にならない）【００１６】  この状態を回避するためには中央脚部材にｆ３の力入れると可能であるが大変面倒である。  この状態を避ける為には中央脚部材が最大限に傾斜したとしても図５のように角度Ｋが９０度であればよい。このような状態を作って中央脚部材６に下向きの力ｆ１をかけると中央脚部材は右廻りの方向には回転しないで、左廻りの方向に回転して（ｆ３の方向の力が発生して）中央脚部材は除所に垂直な方向に移行しベッドは展開状態になる。【００１７】  図６、図７は起立状態の時と水平状態のベッドの正面図である。リンク軸の穴位置の関係がＡ＝Ｂ＋Ｃであると角度Ｋは９０度となる。【００１８】  さらに次のようにすると、中央脚部材は垂直な状態のままで下降する。すなわち、図８、図９に示すように、左右の中央脚部材を結ぶ連結棒１０の裏側に保持金具１７を固着し２ａの内側に保持金具１８を固着しこれらの両金具にスプリング１９を固着する。このような構造を追加すると中央脚部材６は、スプリング１９の張力が左右均等に作用��るので斜めになることはない。
（発明の実施の形態２）
発明の実施の形態２を実施例にもとづき図面を参照して説明する。【００１９】  図１０，図１１ではベッドの耐用年数を延ばす為について説明する。図１０が従来の方法であり、図１１は改良した方法である。従来のベッドの軸着の方法は木材にビス２０とナット２１と中間ワッシャ２１スプリングワッシャ２２ナット２３を使用して締め付けていた。このような構造ではビス２０は直接木部に接触して木材の穴の内壁が長年の使用で磨耗していた。又ベッドを組みたてる場合に中間ワッシャを２１を挿入することは大変困難であった。【００２０】  特殊ナット２４は前述２の不備を補うものである。図１１において、特殊ナット２４の穴の中にビスを差し込むとビスの外側は特殊ナット２４の穴の内側に接するのみで木材の穴には直接触れない。ビスは度度回転を繰り返すが木材の穴は特殊ナット２４の部材が固着しているので磨耗することはない。【００２１】  また特殊ナット２４は中間ワッシャ２１と一体であるので、ベッドを組み立てる場合木材の穴のあらかじめ差し込むだけでよく、作業が簡単に行える。
（発明の実施の形態３）
発明の実施の形態３を実施例にもとづき図面を参照して説明する。【００２２】  図１２において、中央脚部材の表のほぼ真中に張り込んだ取っ手を形成する。  中央脚部材６に掘り込みがあると、ベッドの幅方向の長さが小さく出来てベッド全体をコンパクトに形成出来る。そして奥に行くほど掘り込みを大きくすると手で持ちやすくなる（たとえば深さ１５ｍｍとし）表面よりも底面は５ｍｍ大きくする。）
（発明の実施の形態４）
発明の実施の形態４を実施例にもとづき図面を参照して説明する。【００２３】  図１３、図１４、図１５はキャスターとリンク棒８の位置関係を示している。図１３はベッドが展開状態でだり。図１４は途中まで折り畳んだ状態であり、図１５は完全に折り畳んだ状態である。【００２４】  展開状態の時はキャスター１１の最下点とリンク棒の最下面は同時に床に接する。床にキャスターの最下点だけでなくリンク棒の最下面が均一に接するので、床面にたいする接触面積が増えて、床に傷がつくのを防止する。  ベッドをも持ちあげるとキャスターの最下点のみが床に接するのでキャスター本来の機能を発揮して、ベッドを左右前後に移動させることができる。
【図面の簡単な説明】
【００２５】
【図１】  この発明の実施の形態１を示す斜視図である。
【図２】  同ベッドの裏側の斜視図である。
【図３】  折り畳み途中と起立状態の斜視図である。
【図４】  展開途中の正面図である。
【図５】  展開途中の正面図である。
【図６】  展開状態の正面図である
【図７】  起立状態の正面図である。
【図８】  スプリングを付加した場合の斜視図である。
【図９】  スプリングを付加した場合の裏側の斜視図である。
【図１０】  ビスの勘合の状態を示す斜視図である。
【図１１】  ビスの勘合の状態を示す斜視図である。
【図１２】  中央脚部材の掘り込みを示す斜視図である。
【図１３】  キャスターの部分における展開状態の斜視図である。
【図１４】  キャスターの部分における折り畳み状態の斜視図である。
【図１５】  キャスターの部分における起立状態の斜視図である。
【符号の説明】
【００２６】１Ａ  ベッド支持面部
１Ｂ  ベッド支持面部
２ａ  対向辺部
６    中央脚部材
７    脚部材
８    リンク棒
９    すのこ面部
１０  中間結合部材
１１  キャスター
１２  支持点
１９  弾性部材（スプリング）
【図１】
2009160200.tif 000003
【図２】
2009160200.tif 000004
【図３】
2009160200.tif 000005
【図４】
2009160200.tif 000006
【図５】
2009160200.tif 000007
【図６】
2009160200.tif 000008
【図７】
2009160200.tif 000009
【図８】
2009160200.tif 000010
【図９】
2009160200.tif 000011
【図１０】
2009160200.tif 000012
【図１１】
2009160200.tif 000013
【図１２】
2009160200.tif 000014
【図１３】
2009160200.tif 000015
【図１４】
2009160200.tif 000016
【図１５】
2009160200.tif 000017